(57)【要約】    【課題】      ＨＳＤＰＡを適用中の移動端末がハンドオーバを行うことに起因する下りスループットの劣化を防止する無線基地局装置及びパケット通信方法を提供する。    【解決手段】  制御信号生成部１０７は、ＨＳＤＰＡを適用中のＵＥがハンドオーバを行う際、ＲＮＣからＵＥ宛てのデータ送信をハンドオーバタイミングまで停止要求する制御信号を生成し、ＵＥ速度推定部１０２が推定したＵＥの移動速度、ＵＥ受信能力管理部１０３が管理するＵＥの受信可能転送レート、Ｑｕｅｕｅ状態監視部１０４がＱｕｅｕｅ１１１を監視することにより取得したＱＵＥＵＥ１１１に記憶された各ＵＥ宛てのバッファ量、バッファ滞留時間のいずれか、あるいは、これらのうちいずれか複数の組合せに基づいて、制御信号送信タイミング決定部１０５が制御信号を送信するタイミングをＵＥ毎に動的に決定する。  【選択図】      図１
2006245913.tif 000002
【特許請求の範囲】
【請求項１】
下り高速パケット伝送を適用し、無線ネットワーク制御装置から送信されたデータを移動端末装置に転送する無線基地局装置であって、
下り高速パケット伝送を適用中の移動端末装置がハンドオーバを行う際、前記無線ネットワーク制御装置が前記移動端末装置宛てのデータ送信をハンドオーバタイミングまで停止要求する制御信号を生成する制御信号生成手段と、
前記制御信号を前記無線ネットワーク制御装置に送信するタイミングを移動端末装置毎に動的に決定する送信タイミング決定手段と、
前記送信タイミング決定手段によって決定されたタイミングで前記制御信号を送信する送信手段と、
を具備することを特徴とする無線基地局装置。
【請求項２】
前記送信タイミング決定手段は、前記移動端末装置宛てデータのバッファ量に基づいて、前記制御信号の送信タイミングを決定することを特徴とする請求項１に記載の無線基地局装置。
【請求項３】
前記送信タイミング決定手段は、前記移動端末装置宛てデータのパケット滞留時間に基づいて、前記制御信号の送信タイミングを決定することを特徴とする請求項１に記載の無線基地局装置。
【請求項４】
前記移動端末装置の移動速度を推定する移動速度推定手段を具備し、
前記送信タイミング決定手段は、前記移動速度推定手段によって推定された移動速度に基づいて、前記制御信号の送信タイミングを決定することを特徴とする請求項１に記載の無線基地局装置。
【請求項５】
前記送信タイミング決定手段は、前記移動端末装置が受信可能な転送レートに基づいて、前記制御信号の送信タイミングを決定することを特徴とする請求項１に記載の無線基地局装置。
【請求項６】
前記送信タイミング決定手段は、前記移動端末装置宛てデータのバッファ量、前記移動端末装置宛てデータのパケット滞留時間、前記移動端末装置の移動速度、前記移動端末装置が受信可能な転送レートのいずれか複数の組合せに基づいて、前記制御信号の送信タイミングを決定することを特徴とする請求項１に記載の無線基地局装置。
【請求項７】
下り高速パケット伝送を適用中にハンドオーバを行う移動端末装置宛てのデータの無線ネットワーク制御装置からハンドオーバ元の無線基地局装置への送信停止を要求する制御信号を生成する制御信号生成工程と、
前記制御信号を前記無線基地局装置から無線ネットワーク制御装置に送信するタイミングを移動端末装置毎に動的に決定する送信タイミング決定工程と、
決定されたタイミングで前記制御信号を送信する送信工程と、
を具備することを特徴とするパケット通信方法。
【発明の詳細な説明】
【技術分野】
【０００１】
本発明は、無線基地局装置及びパケット通信方法に関し、特に、移動端末がハンドオーバを行う際、無線ネットワーク制御装置との間でフロー制御を行い、移動端末への下りデータを転送する無線基地局装置及びパケット通信方法に関する。
【背景技術】
【０００２】
図４は、非特許文献１に開示されている移動通信システムの構成を示す図である。この図に示す移動通信システムは、移動端末（ＵＥ：User Equipment）１１、無線基地局装置（Ｎｏｄｅ−Ｂ）２１〜２４、Ｎｏｄｅ−Ｂを制御する無線ネットワーク制御装置（ＲＮＣ：Radio Network Controller ）３１及び３２、ＵＥの位置管理、呼制御などを行なうコアネットワーク（ＣＮ：Core Network）４１等を備えている。
【０００３】
ここで、図４に示す移動通信システムがＨＳＤＰＡ（High Speed Uplink Packet Access）を適用する場合、ＵＥ１１がＮｏｄｅ−Ｂ間をハンドオーバする際には、ハードハンドオーバ（以下、「ＨＨＯ」と記載する）を行う。
【０００４】
図５は、非特許文献２に開示されているＨＳＤＰＡにおけるユーザプレーンプロトコル構成を示す図である。この図におけるＭＡＣ−ｈｓ（高速媒体接続階層）では、下りデータ転送のスケジューリングや、Ｈ−ＡＲＱ（Hybrid-Automatic Repeat reQuest）による再送制御などが行われる。また、ＨＳ−ＤＳＣＨ ＦＰでは、Ｎｏｄｅ−ＢとＲＮＣ間における下りデータに対するフロー制御が行われる。
【０００５】
Ｎｏｄｅ−ＢとＲＮＣ間における下りデータに対するフロー制御は、非特許文献３に開示されているように、Ｎｏｄｅ−ＢがHS-DSCH CAPACITY ALLOCATION（以下、「フロー制御信号」という）をＲＮＣに送信し、ＲＮＣから送信される下りデータの転送量を指示する。
【０００６】
次に、上述した構成を有する移動通信システムがＨＳＤＰＡを適用中に、ＵＥ１１がＨＨＯを行う際の下りデータ転送手順について図６を用いて説明する。まず、Ｎｏｄｅ−Ｂ２１がＲＮＣ３１との間でフロー制御を行いながら、ＲＮＣ３１からのデータをＵＥ１１に送信しているものとする。
【０００７】
ここでのフロー制御は、例えば次のように行われる。Ｎｏｄｅ−Ｂ２１がＲＮＣ３１から転送されるデータの転送速度を高くしようと、時点Ｔ１で判断した場合、フロー制御信号５１を用いて所望の転送レートをＲＮＣ３１に指示する。ＲＮＣ３１がフロー制御信号５１を受信した時点Ｔ２以降でＮｏｄｅ−Ｂ２１に送信するデータは、フロー制御信号５１によって指示された転送レートで送信される。
【０００８】
その後、ＵＥ１１がＮｏｄｅ−Ｂ２１からＮｏｄｅ−Ｂ２２へのＨＨＯを実行するものとする。ＲＮＣ３１は、ＵＥ１１のＨＨＯの実行を時点Ｔ３で判断すると、Ｎｏｄｅ−Ｂ２１、Ｎｏｄｅ−Ｂ２２、ＵＥ１１に対して時点Ｔ４をＨＨＯタイミングとして通知する。そして、時点Ｔ４のＨＨＯタイミングでＨＨＯが実行され、Ｎｏｄｅ−Ｂ２１を経由したＲＮＣ３１とＵＥ１１との通信経路が、Ｎｏｄｅ−Ｂ２２を経由したＲＮＣ３１とＵＥ１１との通信経路へと切り替わる。
【０００９】
Ｎｏｄｅ−Ｂ２１は、ＨＨＯタイミングの直前までＲＮＣ３１から下りデータを受信するが、受信した下りデータをＵＥ１１に送信しきれない分（ここでは、データ８からデータ１２）が生じてしまい、このデータを廃棄してしまう。
【００１０】
一方、Ｎｏｄｅ−Ｂ２２は、ＨＨＯタイミングの直後から、ＲＮＣ３１から受信したデータ（データ１３以降）を順番にＵＥ１１に送信し、ＲＮＣ３１との間でフロー制御を行うことにより、ＲＮＣ３１からのデータ転送速度を調整する。
【００１１】
ここでのフロー制御は、例えば次のように行われる。Ｎｏｄｅ−Ｂ２２がＲＮＣ３１から転送されるデータの転送速度を低くしようと、時点Ｔ５で判断した場合、フロー制御信号５２を用いて所望の転送レートをＲＮＣ３１に指示する。ＲＮＣ３１がフロー制御信号５２を受信した時点Ｔ６以降でＮｏｄｅ−Ｂ２２に送信するデータ（データ２１以降）は、フロー制御信号５２によって指示された転送レートで送信される。
【非特許文献１】3GPP，TS25.401 UTRAN overall description，V5.7.0
【非特許文献２】3GPP，TS25.308 High Speed Downlink Packet Access(HSDPA) overall description，SＴａge2(Release5) V5.5.0
【非特許文献３】3GPP, TR25.877 High Speed Downlink Packet Access : Iub/Iur aspects(Release5), V5.1.0
【発明の開示】
【発明が解決しようとする課題】
【００１２】
しかしながら、上述したＮｏｄｅ−Ｂは、フロー制御信号をＲＮＣに送信することにより、ＲＮＣから転送されるデータの転送レートを変更することができるが、フロー制御信号の送信タイミング及び指示する転送レートについては、非特許文献３には明示されていない。このため、ＵＥがＨＨＯを実行する際に、ハンドオーバ元のＮｏｄｅ−ＢはＨＨＯタイミングまでにＵＥに送信しきれなかったパケットを廃棄することになり、いわゆるパケット損失が発生してしまう。その結果、損失したパケットを上位プロトコル（例えば、ＲＬＣ）によって再送する必要があり、ＵＥにおける下りスループットの劣化を招いてしまう。
【００１３】
本発明はかかる点に鑑みてなされたものであり、ＨＳＤＰＡを適用中の移動端末がハンドオーバを行うことに起因する下りスループットの劣化を防止する無線基地局装置及びパケット通信方法を提供することを目的とする。
【課題を解決するための手段】
【００１４】
本発明の無線基地局装置は、下り高速パケット伝送を適用し、無線ネットワーク制御装置から送信されたデータを移動端末装置に転送する無線基地局装置であって、下り高速パケット伝送を適用中の移動端末装置がハンドオーバを行う際、前記無線ネットワーク制御装置が前記移動端末装置宛てのデータ送信をハンドオーバタイミングまで停止要求する制御信号を生成する制御信号生成手段と、前記制御信号を前記無線ネットワーク制御装置に送信するタイミングを移動端末装置毎に動的に決定する送信タイミング決定手段と、前記送信タイミング決定手段によって決定されたタイミングで前記制御信号を送信する送信手段と、を具備する構成を採る。
【００１５】
この構成によれば、制御信号を受信した無線ネットワーク制御装置は、ハンドオーバタイミングまで移動端末装置宛てのデータ送信を停止することになり、その間に、無線基地局装置が既に受信している移動端末装置宛てのデータを送信完了することができるので、無線基地局装置が移動端末装置宛てのデータを廃棄することを防止することができる。
【発明の効果】
【００１６】
本発明によれば、ＨＳＤＰＡを適用中の移動端末がハンドオーバを行うことに起因する下りスループットの劣化を防止することができる。
【発明を実施するための最良の形態】
【００１７】
以下、本発明の実施の形態について、図面を参照して詳細に説明する。
【００１８】
（一実施の形態）
図１は、本発明の一実施の形態に係る無線基地局装置（以下、「Ｎｏｄｅ−Ｂ」と記す）の構成を示すブロック図である。この図において、無線受信部１０１は、移動端末（ＵＥ：User Equipment）から送信された上りデータを受信し、受信した上りデータを送信部１０８に転送すると共に、上りデータに含まれるパイロットシンボルをＵＥ速度推定部１０２に出力する。また、ＵＥからＵＥ自身の受信可能転送レートを取得し、受信した受信可能転送レートをＵＥ受信能力管理部１０３に通知する。さらに、下りデータの再送を行う上で必要となる情報を受信した場合は、その情報を無線送信部１１２に出力する。
【００１９】
ＵＥ速度推定部１０２は、無線受信部１０１から出力されたパイロットシンボルを用いてドップラ周波数を検出することにより、ＵＥの移動速度を推定し、推定したＵＥの移動速度を制御信号送信タイミング決定部１０５に出力する。
【００２０】
ＵＥ受信能力管理部１０３は、無線受信部１０１から通知されたＵＥの受信可能転送レート、すなわちＵＥ毎に異なる下り最大受信能力を管理し、制御信号送信タイミング決定部１０５に通知する。ＨＳＤＰＡ対応のＵＥには、例えば、最大５Ｍｂｐｓまでしか受信できないものや、最大１０Ｍｂｐｓまで受信できるものなどがあり、その能力はＵＥ毎に異なるためである。
【００２１】
Ｑｕｅｕｅ状態監視部１０４は、後述するＱｕｅｕｅ１１１の状態を監視し、例えば、Ｑｕｅｕｅ１１１に記憶された各ＵＥ宛てのバッファ量、無線ネットワーク制御装置（ＲＮＣ：Radio Network Controller）から受信した下りデータがＵＥに送信されるまでの時間であるバッファ滞留時間などを監視（または推定）する。Ｑｕｅｕｅ１１１の状態（バッファ量、バッファ滞留時間等）は制御信号送信タイミング決定部１０５に通知される。
【００２２】
制御信号送信タイミング決定部１０５は、ハードハンドオーバ（以下、「ＨＨＯ」と省略する）実行対象ＵＥに関するバッファ量、バッファ滞留時間、受信能力、移動速度のいずれか、もしくは、これらのうちの複数の情報に基づいて、フロー制御信号の送信タイミングを決定する。決定された送信タイミングはフロー制御パラメータ値設定部１０６及び制御信号生成部１０７に通知される。
【００２３】
フロー制御パラメータ値設定部１０６は、制御信号送信タイミング決定部１０５から通知されたタイミングに基づいて、フロー制御パラメータ値を設定し、設定した値を制御信号生成部１０７に通知する。
【００２４】
制御信号生成部１０７は、制御信号送信タイミング決定部１０５から通知されたタイミングに基づいて、フロー制御パラメータ値設定部１０６から通知されたフロー制御パラメータ値を含むフロー制御信号を生成し、生成したフロー制御信号を送信部１０８に出力する。なお、このフロー制御信号は、ＲＮＣからのデータ送信の停止をＨＨＯタイミングまで要求するものである。
【００２５】
送信部１０８は、制御信号生成部１０７から取得したフロー制御信号、または、無線受信部１０１から取得した上りデータをＲＮＣに送信する。
【００２６】
受信部１０９は、ＲＮＣから送信された下りデータを受信し、受信した下りデータをデータ処理部１１０に出力する。
【００２７】
データ処理部１１０は、受信部１０９から取得した下りデータをＱｕｅｕｅ１１１に出力し、HS-DSCH CAPACITY REQUESTを取得した場合は、取得したことを制御信号生成部１０７に通知する。
【００２８】
Ｑｕｅｕｅ１１１は、データ処理部１１０から取得したデータを一時的に記憶し、無線送信部１１２が決定する下り無線転送レートに合わせて、データを無線送信部１１２に出力する。
【００２９】
無線送信部１１２は、下り無線転送レートを決定し、決定した転送レートに合わせて、Ｑｕｅｕｅ１１１に記憶されているデータをＵＥに送信する。また、下りデータの再送制御も行う。
【００３０】
次に、本発明の一実施の形態におけるＵＥがＨＨＯを行う際の下りデータ転送手順について図２を用いて説明する。まず、Ｎｏｄｅ−Ｂ１がＲＮＣとの間でフロー制御を行いながら、ＲＮＣからのデータをＵＥに送信しているものとする。
【００３１】
ここでのフロー制御は、例えば次のように行われる。Ｎｏｄｅ−Ｂ１がＲＮＣから転送されるデータの転送速度を高くしようと、時点Ｔ１で判断した場合、フロー制御信号２０１を用いて所望の転送レートをＲＮＣに指示する。ＲＮＣがフロー制御信号２０１を受信した時点Ｔ２以降でＮｏｄｅ−Ｂ１に送信するデータは、フロー制御信号２０１によって指示された転送レートで送信される。
【００３２】
その後、ＵＥがＮｏｄｅ−Ｂ１からＮｏｄｅ−Ｂ２へのＨＨＯを実行するものとする。ＲＮＣは、ＵＥのＨＨＯの実行を時点Ｔ３で判断すると、Ｎｏｄｅ−Ｂ１、Ｎｏｄｅ−Ｂ２、ＵＥに対して時点Ｔ４をＨＨＯタイミングとして通知する。
【００３３】
Ｎｏｄｅ−Ｂ１は、ＨＨＯタイミングが通知された時点Ｔ４において、ＨＨＯ実行対象ＵＥに関するバッファ量、バッファ滞留時間、受信能力、移動速度のいずれか、もしくは、それらのうちの複数の情報に基づいて、ＲＮＣからのデータ送信をＨＨＯタイミングまで停止する時間Ｔａを求め、求めた時間ＴａをＲＮＣからのデータ送信の停止を要求するフロー制御信号の送信タイミングとする。すなわち、Ｎｏｄｅ−Ｂ１は、ＨＨＯタイミングである時点Ｔ６より時間Ｔａを差し引いた時点で、フロー制御信号２０２をＲＮＣに対して送信する。
【００３４】
ここで、Ｔａの決定方法について説明する。Ｔａは、制御信号送信タイミング決定部１０５がＨＨＯ対象ＵＥ毎に動的に設定する。制御信号送信タイミング決定部１０５は、例えば、図３に示すようなテーブルを備えている。
【００３５】
図３（ａ）に示すテーブルには、Ｔａ値が段階的に設定されており、具体的には、Ｔａ１が２００ｍｓ、Ｔａ２が５００ｍｓ、Ｔａ３が８００ｍｓとして３００ｍｓ毎に設定されている。
【００３６】
図３（ｂ）に示すテーブルには、Ｑｕｅｕｅ１１１内に記憶された対象ＵＥ宛てのバッファ量とＴａ値との対応関係が設定されており、０ＫＢ以上１５ＫＢ以下のバッファ量にはＴａ１が、１５ＫＢを越え、３０ＫＢ以下のバッファ量にはＴａ２が、３０ＫＢを越えるバッファ量にはＴａ３が対応付けられている。
【００３７】
図３（ｃ）に示すテーブルには、Ｑｕｅｕｅ１１１内に記憶された対象ＵＥ宛てのパケットの滞留時間（バッファ滞留時間）とＴａ値との対応関係が設定されており、０ｍｓ以上２００ｍｓ以下の滞留時間にはＴａ１が、２００ｍｓを越え、５００ｍｓ以下の滞留時間にはＴａ２が、５００ｍｓを越える滞留時間にはＴａ３が対応付けられている。ここで、バッファ滞留時間は、データ毎に滞留時間を測定してその最大値または平均値を用いてもよいし、「バッファ量／平均無線転送レート」により推定した平均滞留時間を用いてもよい。
【００３８】
図３（ｄ）に示すテーブルには、対象ＵＥの推定移動速度とＴａ値との対応関係が設定されており、０ｋｍ／ｈ以上１０ｋｍ／ｈ以下の移動速度にはＴａ１が、１０ｋｍ／ｈを越え、５０ｋｍ／ｈ以下の移動速度にはＴａ２が、５０ｋｍ／ｈを越える移動速度にはＴａ３が対応付けられている。
【００３９】
図３（ｅ）に示すテーブルには、対象ＵＥの受信能力、すなわちＵＥが受信可能な転送レートとＴａ値との対応関係が設定されており、１４ＭｂｐｓにはＴａ１が、１０ＭｂｐｓにはＴａ２が、５ＭｂｐｓにはＴａ３が対応付けられている。
【００４０】
制御信号送信タイミング決定部１０５は、図３に示すようなテーブルを有することにより、Ｑｕｅｕｅ１１１内に記憶された対象ＵＥ宛てのバッファ量、パケットの滞留時間、対象ＵＥの推定移動速度、対象ＵＥの受信能力に基づいて、Ｔａを決定することができる。
【００４１】
また、制御信号送信タイミング決定部１０５は、Ｑｕｅｕｅ１１１の状態（バッファ量またはバッファ滞留時間）、推定移動速度、受信能力のうちの複数の情報に基づいて、Ｔａを決定してもよい。例えば、個別の情報に基づいて求めた複数のＴａから最小値を選択したり、最大値を選択したり、平均値を選択したりすることにより決定してもよい。
【００４２】
なお、図３に示したＴａの設定値、バッファ量の範囲、滞留時間の範囲、移動速度の範囲、及び、ＵＥ受信能力については一例であり、別の値を設定してもよい。また、ここでは、各テーブルにおいて３段階の設定を行っているが、この段階数についても一例であり、テーブル毎に別の段階数を設定してもよい。
【００４３】
再び図２を参照して、下りデータ転送手順の説明に戻る。ＲＮＣは、フロー制御信号２０２を受信した時点Ｔ５でデータ８以降のデータ送信を停止する。
【００４４】
Ｎｏｄｅ−Ｂ１はＲＮＣから受信しているデータをＨＨＯタイミングの直前までＵＥに送信するが、Ｎｏｄｅ−Ｂ１が記憶しているＵＥへのデータがＨＨＯタイミングの直前で送信完了するようにＲＮＣのデータ送信を停止させるため、Ｎｏｄｅ−Ｂ１がＵＥに送信しきれないデータを発生させることがないので、データの廃棄を防止することができる。
【００４５】
また、ＲＮＣのデータ送信を停止する時間が長すぎると、送信機会を無駄にしてしまうことになり、かえってスループットを劣化させることになるが、Ｎｏｄｅ−Ｂ１が記憶しているＵＥへのデータがＨＨＯタイミングの直前で送信完了するようにＲＮＣのデータ送信停止時間が設定されるため、送信機会を無駄にすることなく、スループットの劣化を回避することができる。
【００４６】
そして、時点Ｔ６のＨＨＯタイミングでＨＨＯが実行され、Ｎｏｄｅ−Ｂ１を経由したＲＮＣとＵＥとの通信経路が、Ｎｏｄｅ−Ｂ２を経由したＲＮＣとＵＥとの通信経路へと切り替わる。
【００４７】
ＲＮＣは、ＨＨＯタイミングの直後からＵＥ宛てのデータ（データ８以降）の送信を再開し、Ｎｏｄｅ−Ｂ２に送信する。Ｎｏｄｅ−Ｂ２は、ＲＮＣから受信したデータをＵＥに送信し、ＲＮＣとの間ではフロー制御を行うことにより、ＲＮＣからのデータ転送速度を調整する。
【００４８】
ここでのフロー制御は、例えば次のように行われる。Ｎｏｄｅ−Ｂ２がＲＮＣから転送されるデータの転送速度を低くしようと、時点Ｔ７で判断した場合、フロー制御信号２０３を用いて所望の転送レートをＲＮＣに指示する。
【００４９】
ＲＮＣがフロー制御信号２０３を受信した時点Ｔ８以降でＮｏｄｅ−Ｂ２に送信するデータ（データ１６以降）は、フロー制御信号２０３によって指示された転送レートで送信される。なお、Ｎｏｄｅ−Ｂ２は、ＨＨＯタイミング直後にデータ送信再開を要求するフロー制御信号をＲＮＣに対して送信するようにしてもよい。
【００５０】
このように本実施の形態によれば、ＨＨＯを行うＵＥ宛てのデータをＲＮＣがハンドオーバ元のＮｏｄｅ−Ｂに送信することをＨＨＯタイミングまで停止する時間ＴａをＵＥ毎に動的に求め、求めた時間Ｔａの間、ＲＮＣがハンドオーバ元のＮｏｄｅ−ＢにＵＥ宛てのデータ送信を停止し、その間に、ハンドオーバ元のＮｏｄｅ−Ｂに記憶されているＵＥ宛てのデータをＵＥに送信完了することにより、ＵＥ宛てのデータの廃棄を抑制し、ＵＥ宛てのパケットの損失を回避することができる。したがって、ＨＨＯを行うＵＥにおける下りスループットの劣化を防ぐことができる。
【００５１】
なお、上述した実施の形態では、Ｎｏｄｅ−Ｂ間（Ｎｏｄｅ−Ｂ１からＮｏｄｅ−Ｂ２）でのＨＨＯについて述べたが、本発明はこれに限らず、Ｎｏｄｅ−Ｂ内のセクタ間ＨＨＯに適用してもよい。
【産業上の利用可能性】
【００５２】
本発明にかかる無線基地局装置及びパケット通信方法は、ＨＳＤＰＡを適用中の移動端末がハンドオーバを行うことに起因する下りスループットの劣化を防止することができ、ＣＤＭＡ（Code Division Multiple Access）移動通信システムの無線基地局装置等に適用することができる。
【図面の簡単な説明】
【００５３】
【図１】本発明の一実施の形態に係る無線基地局装置の構成を示すブロック図
【図２】図１に示すＵＥがＨＨＯを行う際の下りデータ転送手順を示すシーケンス図
【図３】図１に示す制御信号送信タイミング決定部が備えるテーブルを示す図
【図４】非特許文献１に開示されている移動通信システムの構成を示す図
【図５】非特許文献２に開示されているＨＳＤＰＡにおけるユーザプレーンプロトコル構成を示す図
【図６】図４に示す移動通信システムがＨＳＤＰＡを適用中に、ＵＥがＨＨＯを行う際の下りデータ転送手順を示すシーケンス図
【符号の説明】
【００５４】
１０１  無線受信部
１０２  ＵＥ速度推定部
１０３  ＵＥ受信能力管理部
１０４  Ｑｕｅｕｅ状態監視部
１０５  制御信号送信タイミング決定部
１０６  フロー制御パラメータ値設定部
１０７  制御信号生成部
１０８  送信部
１０９  受信部
１１０  データ処理部
１１１  Ｑｕｅｕｅ
１１２  無線送信部
【図１】
2006245913.tif 000003
【図２】
2006245913.tif 000004
【図３】
2006245913.tif 000005
【図４】
2006245913.tif 000006
【図５】
2006245913.tif 000007
【図６】
2006245913.tif 000008